(57)【要約】  【課題】システムキッチンにおいてシンク下を有効に活用する。  【解決手段】システムキッチンにおいて外枠１０の上部にシンク１１を配置するとき、最下段の収納スペースに冷蔵庫を設置する場合、その構成は収納部１５とその左右どちらかに機械室１６Ａを配設し、機械室１６Ａ内の放熱器１９の出口とファンモータ２０の入り口は直角の関係になるように配設ことにより機械室１６Ａを幅方向にコンパクト化でき、かつシステムキッチン奥面にシンク１１の給排水管がある場合でも空間の温度環境を一定に保ち、機械室１６Ａの吸排気が十分に行える。【選択図】図３
2006023014.tif 000002
【特許請求の範囲】
【請求項１】
システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記放熱器と熱交換した空気を搬送するファンを放熱器開口面に対して垂直に設置したことを特徴とするシステムキッチン組み込み式冷蔵庫。
【請求項２】
前記機械室に設置する基板は、ファン出口の前方に設置した事を特徴とする請求項１記載のシステムキッチン組み込み式冷蔵庫。
【請求項３】
前記機械室に設置する冷却器結露水の蒸発手段は、冷蔵庫の底面の放熱ダクト最下流に設置したことを特徴とした請求項１または２に記載のシステムキッチン組み込み式冷蔵庫。
【請求項４】
前記放熱ダクトの一部に開口穴を設け、放熱空気を冷蔵庫箱体の一部に流すことを特徴とした請求項１から３のいずれか一項に記載のシステムキッチン組み込み式冷蔵庫。
【請求項５】
前記放熱ダクト出口から排出する空気をダクト入り口方向に排出しない出口形状とすることを特徴とした請求項１から４のいずれか一項に記載のシステムキッチン組み込み式冷蔵庫。
【発明の詳細な説明】
【技術分野】
【０００１】
本発明はシステムキッチンの一区画の下部空間に収納できるよう構成したペルチェ式冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図１０は、特許文献１に記載されたシステムキッチン用の保冷庫を示すものである。図１０に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また機械室の吸排気口を左右に設置すると十分に面積が確保されない課題を有していた。
【０００６】
本発明は、上記従来の課題を解決するもので、システムキッチンのシンク下部の、奥側に給排水管がある空間に収納でき、機械室の給排気が十分に行え、しかもファンを放熱器開口面に対して垂直に設置したことにより、機械室をよりコンパクトになるよう構成した冷蔵庫を提供することを目的とする。
【課題を解決するための手段】
【０００７】
上記従来の課題を解決するために、本発明の冷蔵庫は、システムキッチンの最下段の引き出しスペースに設置されるペルチェ式冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱部と熱交換した空気を前記貯蔵室の下部から前方に排出する排気ダクトを前記貯蔵室の下部に設け、前記排気ダクト内には水受け皿を設け、前記放熱器と熱交換した空気を搬送するファンを放熱器開口面に対して垂直に設置したことを特徴としているものである。
【０００８】
これによって、軸流ファンを用いた場合でも機械室の容積を少なくし収納スペースを確保できることとしたものである。またファン出口前方に基板を配設することで基板の放熱をスムーズに行えることとしたものである。
【発明の効果】
【０００９】
本発明の冷蔵庫は、システムキッチン内の限られた空間において、システムキッチンの枠内に簡単にビルトイン設置でき、また奥行き方向の収納量を確保することができる。
【発明を実施するための最良の形態】
【００１０】
請求項１に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には水受け皿を設け、前記放熱器と熱交換した空気を搬送するファンを放熱器開口面に対して垂直に設置したものであり、幅方向のファン設置面積を減らすことができ、その空間を収納スペースに割り当てることができる。
【００１１】
請求項２に記載の発明は、請求項１記載の発明において、前記機械室に設置する基板は、ファン出口の前方に設置したものであり、基板の温度上昇を抑制することができる。
【００１２】
請求項３に記載の発明は、請求項１または２に記載の発明において、前記機械室に設置する冷却器結露水の蒸発手段は、冷蔵庫の底面の放熱ダクト最下流に設置したものであり、結露水の蒸発を更に促進できる。
【００１３】
請求項４に記載の発明は、請求項１から３のいずれか一項に記載の発明において、前記放熱ダクトの一部に開口穴を設け、放熱空気を冷蔵庫箱体の一部に流すものであり、キャビネットの発汗を抑制することができる。
【００１４】
請求項５に記載の発明は、請求項１から４のいずれか一項に記載の発明において、前記放熱ダクト出口から排出する空気をダクト入り口方向に排出しない出口形状とするものであり、放熱風路のショートサーキットを防止し、冷蔵庫前方に立つ人の足元に温風があたりにくくして、足の不快感を低減することができる。
【００１５】
以下、本発明の実施の形態について、図面を参照しながら説明する。なお、実施の形態によってこの発明が限定されるものではない。
【００１６】
（実施の形態１）
図１は、本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、意匠パネルドアを形成する化粧板１４Ａ、吸込み口付き化粧板１４Ｂが構成されている。このような構成をすることにより、システムキッチンの外観意匠を損なわずにシステムキッチン組み込み式冷蔵庫１３を組み込むことができる。
【００１７】
図２は同実施の形態のシステムキッチン組み込み式冷蔵庫１３を前面に引き出したときの斜視図であり、システムキッチン組み込み式冷蔵庫１３は大きくは収納部１５、機械室１６Ａで構成されている。収納部１５の前面には断熱扉１７があり断熱扉１７にはシステムキッチンの外観意匠を統一するために化粧板１４Ａが取り付けられている。機械室部１６Ａの前面には吸込みグリル１４Ｃを一体成形した吸込み口付き化粧板１４Ｂが取り付けられている。
【００１８】
図３は同実施の形態のシステムキッチン組み込み式冷蔵庫の部分斜視図であり、機械室１６Ａは、冷却ユニット１８の放熱器１９、ファンモータ２０、電源制御基板２１、蒸発皿２２、排気ダクト１６Ｂで構成されている。ファンモータ２０の吸い込み口は放熱器１９の吸い込み口と垂直の関係になるように設置されている。この配置をすることにより機械室１６Ａの幅方向の容積を減少させることができ、この容積で収納部１５の収納量を増加させることができる。収納部１５の庫内２３は冷却ユニット１８の冷却器２４と庫内２３を分ける庫内カバー２５、庫内攪拌用ファンモータ２６、収納ケース２７を前後方向にスライドさせるレール２８で収納部１５の庫内を構成している。
【００１９】
図４は同実施の形態のシステムキッチン組み込み式冷蔵庫の冷却ユニット１８の断面図であり、ペルチェ素子３０、冷却器２４とペルチェ素子３０の熱交換をさせるためのヒートコンダクタ３１、ペルチェ素子３０によって出された熱を排熱するための高温側の放熱器１９、冷却器２４、ペルチェ素子３０、ヒートコンダクタ３１、放熱器１９を連結するケースコンダクタ３２で構成されている。
【００２０】
図５は同実施の形態のシステムキッチン組み込み式冷蔵庫の機械室１６Ａの斜視図であり、放熱器１９の前方には埃除去用のフィルター３３が設置されており、このフィルター３３は放熱器１９、ファンモータ２０、電源制御基板２１への埃，油分の付着を防ぐ役割をしている。基板固定具３４は、電源制御基板２１と機械室１６Ａの絶縁の役目とファンモータ２０吐出空気を下方向に整流する役目をしている。
【００２１】
図６は同実施の形態のシステムキッチン組み込み式冷蔵庫の収納部１５を取り除いた時の平面図であり、排気ダクト１６Ｂの出口には風向プレート１６Ｃが取り付けられている。
【００２２】
図７は同実施の形態のシステムキッチン組み込み式冷蔵庫の風向プレート１６Ｃの正面図、図８は風向プレート１６Ｃの断面図（図７のＡ−Ａ断面図）である。
【００２３】
図９は同実施の形態のシステムキッチン組み込み式冷蔵庫の側面図であり、収納部１５と化粧板１４Ａの間のガスケット３６に排気空気を吹き付けるように排気ダクト１６Ｂの一部に開口穴１６Ｄを設ける。
【００２４】
以下その動作を説明する。
【００２５】
まず機械室１６側の動作（空気の流れ）を説明する。吸込み口付き化粧板１４Ｂから吸込まれた空気はフィルター３３を通過し埃除去され、ペルチェ素子３０から出された熱を放熱器１９と熱交換し、ファンモータ２０により吸込まれる。ファンモータ２０の吐出空気は電源制御基板を２１冷却し、放熱器１９と電源制御基板２１を熱交換した高温空気は下部の排気ダクト１６Ｂに導かれる。さらに蒸発皿２２を通過して庫内からのドレン水を蒸発させ、台所空間に放出される。排気ダクトの途中には、収納部の発汗を防止する為の開口穴１６Ｄがあり、開口穴１６Ｄから吐出される高温空気は、収納部１５の表面温度が低い部位に吹き付けるようになっている。
【００２６】
次に収納部１５側の動作（空気の流れ）を説明する。庫内攪拌用ファンモータ２６から吐出された冷気は収納部１５奥面を通り収納ケース２７に流入し庫内カバーの吸込み口から吸入され、冷却器２４で再び吸熱されて収納ケース２７に送風する。
【００２７】
さらに、冷蔵庫１３は、温度の設定により保冷庫や乾燥庫、温蔵庫としても使用することができる。
【００２８】
さらに、ファンモータ２０、電源制御基板２１を一体にしておけば、システムキッチン組み込み式冷蔵庫１３を取り出さなくても、メンテナンス時に電気部品を前面から取り外すことができる。
【産業上の利用可能性】
【００２９】
以上のように、本発明にかかる冷蔵庫は、限られた空間を有効に活用できるのでシステムキッチンなどのビルトイン機器に適用できる。
【図面の簡単な説明】
【００３０】
【図１】本発明の実施の形態１におけるシステムキッチン組立時の冷蔵庫の斜視図
【図２】同実施の形態のシステムキッチンの冷蔵庫を前面に引出した時の斜視図
【図３】同実施の形態のシステムキッチン組み込み式冷蔵庫の部分斜視図
【図４】同実施の形態のシステムキッチン組み込み式冷蔵庫の冷却ユニットの断面図
【図５】同実施の形態のシステムキッチン組み込み式冷蔵庫の機械室の斜視図
【図６】同実施の形態のシステムキッチン組み込み式冷蔵庫の収納部を取り除いた時の平面図
【図７】同実施の形態のシステムキッチン組み込み式冷蔵庫の風向プレートの正面図
【図８】同実施の形態の図７のＡ−Ａ断面図
【図９】同実施の形態のシステムキッチン組み込み式冷蔵庫の側面図
【図１０】従来のシステムキッチン組み込み式保冷庫の斜視図
【符号の説明】
【００３１】
１３  システムキッチン組み込み式冷蔵庫
１４Ｃ  グリル
１６Ｂ  排気ダクト
１６Ｄ  開口穴
１８  冷却ユニット
１９  放熱器
２０  ファンモータ
２２  蒸発皿
２７  収納ケース
２８  レール
３０  ペルチェ素子
【図１】
2006023014.tif 000003
【図２】
2006023014.tif 000004
【図３】
2006023014.tif 000005
【図４】
2006023014.tif 000006
【図５】
2006023014.tif 000007
【図６】
2006023014.tif 000008
【図７】
2006023014.tif 000009
【図８】
2006023014.tif 000010
【図９】
2006023014.tif 000011
【図１０】
2006023014.tif 000012